(57)【要約】【課題】放射線量を照射による発色により容易に検知でき、検知される色相変化の選択が可能であるカラー線量計を提供する。【解決手段】放射線を化学反応による発色により検知するカラー線量計であって、少なくともアリールアミン誘導体とテトラハロゲン化メタンあるいはトリハロゲン化メタン誘導体とを含有し、前記誘導体に放射線を照射することにより発生する発色により放射線を検知するとするカラー線量計。放射線を高感度に数Ｇｙ程度の放射線照射で再現性良く検知することが可能で、ＩＶＲのようなエックス線透視においても観察を妨げないカラー線量計。【選択図】なし【特許請求の範囲】
【請求項１】
放射線を化学反応による発色により検知するカラー線量計であって、少なくともアリールアミン誘導体とテトラハロゲン化メタンあるいはトリハロゲン化メタン誘導体とを含有し、前記誘導体に放射線を照射することにより発生する発色により放射線を検知することを特徴とするカラー線量計。
【請求項２】
前記アリールアミン誘導体が下記一般式（１）で表される化合物からなることを特徴とする請求項１に記載のカラー線量計。
【化１】
2009265034.tif 000012
（式中、Ａｒはアリール基を表す。Ｒ１、Ｒ２は水素原子、アルキル基またはアリール基を表す。）
【請求項３】
前記トリハロゲン化メタン誘導体が下記一般式（２）で表される化合物からなることを特徴とする請求項１に記載のカラー線量計。
【化２】
2009265034.tif 000013
（式中、Ｘは塩素原子、臭素原子およびヨウ素原子から選ばれる１種または２種以上のハロゲン原子を表す。Ｒは水素原子、アルキル基またはアリール基を表す。）
【発明の詳細な説明】
【技術分野】
【０００１】
本発明は、カラー線量計に関するものである。
【背景技術】
【０００２】
本発明で指す放射線とは、荷電粒子であるベータ線（電子線）、および電磁波であるガンマ線、エックス線をいうが、これらの放射線は医療分野で広く利用されている。具体的には、医療器具や医療用具等の滅菌処理などの周辺領域にだけでなくエックス線撮影などの診断手法などが挙げられる。最近では輸血用血液への照射やガン治療等の、間接的あるいは直接的な人体への治療方法として積極的に利用されるようになってきている。今後、その傾向はよりいっそう高くなるといわれている。
【０００３】
その理由の一つとして、患者への身体的な負担の軽減が挙げられる。従来、外科手術でしか対処できなかった疾患あるいは外科手術が困難であった疾病などでは、執刀手術が採られるか対症療法で対応するしかできなかった。しかしエックス線を利用したコンピュータ断層撮影（ＣＴ）や、連続的なエックス線撮影（インターベンショナルラジオロジー、以下ＩＶＲ）を利用したカテーテル手術等により、人体への負荷を大幅に軽減した方法で対応することが可能となった。
【０００４】
しかし患者への放射線被ばくが伴うため、一部の患者には過剰照射による放射線皮膚障害が生じている（例えば非特許文献１）。この現状を踏まえ、放射線を利用した医療行為に対して皮膚障害を発生させない環境を整え、万一障害が発生した場合においても的確な対処ができるような体制作りが急務となっている。
【０００５】
従来利用されている放射線の測定方法では、次の方法が利用されている。電離箱、比例計数管、ＧＭ計数管、シンチレーション計数管、半導体検出器、熱蛍光線量計、蛍光ガラス線量計、写真フィルム、カラー線量計などである。これらの測定法には特殊な装置が必要なうえ、状況によって照射範囲の特定が難しく、照射線量が変動する医療現場では利用することが難しい。
【０００６】
そこで最近、カラー線量計が注目されている。カラー線量計とは、ベータ線（電子線）やガンマ線、エックス線などの放射線のように人間の眼では捉えられないエネルギーの存在を、化学反応や物理反応等を利用した簡便な方法で視覚的に照射量を検知するものである。
【０００７】
代表的なカラー線量計では次の３種の反応のいずれかを利用している。即ち、（１）有機ハロゲン化物の放射線分解反応、（２）放射線重合反応、（３）シンチレーションを利用したフォトクロミック反応である。それぞれについて以下に具体的に説明する。
【０００８】
（１）有機ハロゲン化物の放射線分解反応
この反応は有機ハロゲン化物の放射線分解により生成した酸性を示すハロゲン化水素を利用するものである。放射線照射によりハロゲン化水素が生成し、線量計中の水素イオン濃度が上昇する。このときｐＨ指示薬を組み合わせることにより変色反応が生起する。この変色状態を利用して照射線量を定量する。
【０００９】
具体的に使用されている材料の一つとして、ロイコ色素とポリ塩化ビニルを組み合わせたものがある（例えば特許文献１）。
この手法は、放射線照射量が５，０００から２５，０００Ｇｙ以上のとき変色するものである。また発生する酸に揮発性があるため、良好な再現性は得らないことがある。
【００１０】
（２）放射線重合反応
この反応は一分子内に二つのアルキニル基を有するジアセチレン系化合物の放射線重合を利用している（例えば特許文献２）。この種の化合物は溶液を塗布するだけで自発的にアルキニル基が積み重なるように結晶化する。そのため、固相状態においてエックス線などの外部刺激を供与すれば連鎖的な重合反応が生起する。結果としてπ電子共役が発達した化合物が生成される。生成物は可視光領域に吸収を有するため視認性が発現される。
【００１１】
この手法は１００Ｇｙ程度の比較的低線量領域でも感度を示すものもあるが、反応終了までに１時間以上の時間がかかるため、即時性に劣るため、定量評価の問題が存在する。
【００１２】
（３）シンチレーションを利用したフォトクロミック反応
この反応は検出材料としてフォトクロミック特性を示すジアリールエテン系化合物を利用している（例えば特許文献３）。
【００１３】
一般にフォトクロミック材料は放射線化学反応ではクロミック特性を示さない。そこで、放射線エネルギーを、シンチレータによりフォトクロミズムを生起させる光エネルギーに変換し、その光エネルギーによるフォトクロミック反応を利用するものである。
【００１４】
この手法の高感度化には無機シンチレータが必要であるため、ＩＶＲのようなエックス線透視画像を利用する場合には画質劣化の問題が存在する。またこの反応は光による逆反応が起こるため、反応後の保存状態を厳密に管理することが必要であり、数Ｇｙ程度の低線量にも感度を示す。
【００１５】
以上の三種に大別した従来の方法では、放射線作用による単一の化学種の反応を利用した線量計である。それに対し、本発明はアリールアミン誘導体とテトラハロゲン化メタンあるいはトリハロゲン化メタン誘導体という二種類の分子間の放射線化学反応により発色団を形成させる、まったく新規の手法である。
【００１６】
本発明の反応機構では、前記テトラハロゲン化メタンあるいはトリハロゲン化メタン誘導体が放射線照射により分解され、その過程で発生する活性種がアリールアミン誘導体とカップリング反応し、はじめて発色団が形成される。ここでの発色団は迅速に生成し、生成量は放射線のエネルギー強度には依存せず、照射量に依存するという特徴がある。すなわちフォトクロミック反応と異なり、波長には全く依存しない。
【００１７】
なお、本発明と同様の構成で実施された反応系への紫外線照射によるフォトクロミック反応（光化学反応）についての報告例がある（例えば非特許文献２）。非特許文献２の反応機構では、紫外線照射によりテトラハロゲン化メタンあるいはトリハロゲン化メタン誘導体が基底状態ＨＯＭＯから励起状態ＬＵＭＯへ活性化されてアリールアミン誘導体とカップリング反応し、発色団が形成されるものである。ここで発生する活性種の生成には、テトラハロゲン化メタンあるいはトリハロゲン化メタン誘導体の基底状態ＨＯＭＯから励起状態ＬＵＭＯへの励起に対応した特定波長の紫外線照射が必須であり、それからはずれた波長の照射では発色団の形成は全く起こらないという特徴がある。この点はフォトクロミック化学反応全般に共通したものであり、本発明で利用した放射線化学反応とは本質的に異なる。
【００１８】
上記に述べてきた通り、本発明の反応機構は、フォトクロミック反応における反応機構と大きく異なるが、最終的に生成する発色団は本発明と同一であることが推定される。
しかし、本発明のように放射線照射によって起こる反応が、同一の構成でフォトクロミック反応によって起こるような事例はほとんど知られていない。
【００１９】
非特許文献２で示されている代表的な反応生成物の一例を下記に示す。
【００２０】
【化３】
2009265034.tif 000002
【００２１】
上記の反応生成物は、本発明におけるテトラハロゲン化メタンを四臭化炭素とし、アリールアミン誘導体をジフェニルアミンとした場合の生成物の一つである。
【特許文献１】特公平０６−０７２９２９号公報
【特許文献２】特開２０００−２４１５４８号公報
【特許文献３】特開２００５−０８２５０７号公報
【非特許文献１】中村仁信・諸澄邦彦・富樫厚彦  著、「ＩＶＲの臨床と被曝防護」、株式会社医療科学社、東京（２００４年）
【非特許文献２】Ｒ．Ｈ．ＳＰＲＡＮＧＵＥ  ｅｔ  ａｌ．，ＰＨＯＴＯＧＲＡＰＨＩＣ  Ｓｃｉｅｎｃｅ  ａｎｄ  Ｅｎｇｉｎｅｅｒｉｎｇ  １９６１，５（２），９８−１０３．
【発明の開示】
【発明が解決しようとする課題】
【００２２】
以上説明したように、従来は、数Ｇｙ程度の低放射線量照射を検知でき、即時性に優れ、ＩＶＲのようなエックス線透視においても観察を妨げないカラー線量計は存在しなかった。
本発明は、この様な背景技術に鑑みてなされたものであり、放射線の照射による発色により放射線量を容易に検知でき、検知される色相変化の選択が可能であるカラー線量計を提供することにある。
【課題を解決するための手段】
【００２３】
本発明者らは上記の課題を解決すべく、鋭意検討した結果、少なくとも、それぞれ異なる二種以上の分子間の放射線化学反応により発色団を形成するカラー線量計を見出し、本発明を完成するに至った。
【００２４】
すなわち、上記の課題を解決するカラー線量計は、放射線を化学反応による発色により検知するカラー線量計であって、少なくともアリールアミン誘導体とテトラハロゲン化メタンあるいはトリハロゲン化メタン誘導体とを含有し、前記誘導体に放射線を照射することにより発生する発色により放射線を検知することを特徴とする。
【発明の効果】
【００２５】
本発明は、放射線を高感度に数Ｇｙ程度の放射線照射で再現性良く検知することが可能で、ＩＶＲのようなエックス線透視においても観察を妨げないカラー線量計を提供することができる。
また本発明は、放射線照射時のみに起こる反応を利用しているため、即時性があり、経時変化による変色はない。また、前記アリールアミン誘導体に異なる置換基を導入することにより発色する色相を変化させることができる。
【発明を実施するための最良の形態】
【００２６】
以下、本発明について詳細に説明する。
本発明に係るカラー線量計は、放射線を化学反応による発色により検知するカラー線量計であって、少なくともアリールアミン誘導体とテトラハロゲン化メタンあるいはトリハロゲン化メタン誘導体とを含有し、前記誘導体に放射線を照射することにより発生する発色により放射線を検知することを特徴とする。
【００２７】
前記アリールアミン誘導体が下記一般式（１）で表される化合物からなることことが好ましい。
【００２８】
【化１】
2009265034.tif 000003
【００２９】
（式中、Ａｒはアリール基を表す。Ｒ１、Ｒ２は水素原子、アルキル基またはアリール基を表す。）
【００３０】
前記トリハロゲン化メタン誘導体が、下記一般式（２）で表される化合物からなることが好ましい。
【００３１】
【化２】
2009265034.tif 000004
【００３２】
（式中、Ｘは塩素原子、臭素原子およびヨウ素原子から選ばれる１種または２種以上のハロゲン原子を表す。Ｒは水素原子、アルキル基またはアリール基を表す。）
上記トリハロゲン化メタン誘導体の一般式（２）で表される化合物において、Ｒは、水素原子、アルキル基、アリール基のいずれであってもよい。
【００３３】
また、一般式（１）で表される化合物のＲ１およびＲ２はそれぞれ独立に、水素原子；メチル基、エチル基、プロピル基などのＣ１〜Ｃ１０のアルキル基；フェニル基、ナフチル基、ピリジル基、フェノキシ基等のアリール基などが挙げられる。フェニル基、ナフチル基、ピリジル基等のアリール基などは置換基を有してもよい。
【００３４】
また前記アリールアミン誘導体は、たとえばカルバゾールのような環状構造を有してもよい。
【００３５】
また、前記トリハロゲン化メタン誘導体の一般式（２）で表される化合物において、Ａｒは置換基を有していてもよいフェニル基、ナフチル基、ピリジル基等のアリール基などが挙げられる。置換基としてはメチル基、エチル基、プロピル基などのＣ１〜Ｃ１０のアルキル基；メトキシ基、エトキシ基、プロポキシ基などのＣ１〜Ｃ１０のアルコキシ基；メチルチオ基、エチルチオ基、プロピルチオ基などのＣ１〜Ｃ１０のアルキルチオ基；フェニル基；フェノキシ基；水酸基；ニトロ基；フッ素原子、塩素原子、臭素原子、ヨウ素原子などのハロゲン原子などが挙げられる。なお該置換基の位置は性能を損なわない限り特に限定はない。複数の該置換基を有する場合には必ずしも同一の置換基である必要はない。
前記アリールアミン誘導体およびテトラハロゲン化メタン、トリハロゲン化メタン誘導体はいずれも多数の市販品が存在し、容易に入手が可能である。
【００３６】
本発明のカラー線量計は、前記アリールアミン誘導体とテトラハロゲン化メタンあるいはトリハロゲン化メタン誘導体を溶液のまま使用することも可能であり、または樹脂中へ溶解分散してフィルム状に調製して使用することも可能である。また前記アリールアミンの置換基を操作することにより、発色する色相を操作することが可能である。
【００３７】
該カラー線量計の態様については、アリールアミン誘導体とテトラハロゲン化メタンあるいはトリハロゲン化メタン誘導体とを溶解させた溶液でもよく、該溶液を塗布してフィルム状に調製してもよい。また樹脂溶液中へ溶解させて塗料状にし、シート状に調製して使用してもよい。
【００３８】
上記のように構成されたカラー線量計は、その態様に応じた方法で使用することができる。以下にカラー線量計としての利用方法について、各態様について説明する。
【００３９】
液組成物
本発明のカラー線量計は、アリールアミン誘導体とテトラハロゲン化メタンあるいはトリハロゲン化メタン誘導体とを共通の溶媒に溶解させることにより調製することができる。
【００４０】
溶媒としては、アリールアミン誘導体とテトラハロゲン化メタンあるいはトリハロゲン化メタン誘導体とを溶解させる液体であって、かつ、カラー線量計として用いた場合に放射線照射による変色状態の検出を妨げないものであれば特に限定されない。具体的には、ベンゼン、トルエンなどの芳香族溶媒、クロロホルム等のハロゲン系溶媒、ヘキサン、シクロヘキサノン等の各種の有機溶媒等が挙げられる。
【００４１】
前述の溶媒に対して、アリールアミン誘導体の添加量とテトラハロゲン化メタンあるいはトリハロゲン化メタン誘導体の添加量は、それぞれ独立に１０−５から１０１ｍｏｌ／ｄｍ３の範囲が好ましく、それぞれが必ずしも等モル量ずつ添加されている必要はない。
なお、公知の酸化防止剤や酸素トラップ剤、可塑剤、紫外線吸収剤等を併用しても良い。
【００４２】
上記のように調製されたアリールアミン誘導体とテトラハロゲン化メタンあるいはトリハロゲン化メタン誘導体の混合溶液を、不純物を含まないセルに封入すれば、カラー線量計となる。
作成したセルに放射線を照射することにより、照射した放射線量に応じて溶液の色調が変化する。色見本との比較により照射線量を視認することも可能であるが、この変化を吸収透過スペクトルまたは反射スペクトルの変化量を測定することにより、より詳細の放射線の照射量を測定することができる。
【００４３】
樹脂組成物
本発明におけるアリールアミン誘導体とテトラハロゲン化メタンあるいはトリハロゲン化メタン誘導体とで構成されるカラー線量計は、たとえば前記誘導体を、ベース樹脂とともに溶媒に分散させるか、または、ベース樹脂に直接溶解させることにより、調製することができる。
【００４４】
ベース樹脂としては、アリールアミン誘導体とテトラハロゲン化メタンあるいはトリハロゲン化メタン誘導体とを良好に溶解させるものであれば特に限定されない。具体的には、セルロース樹脂、アクリル樹脂、メタクリル酸樹脂、酢酸ビニル樹脂、塩化ビニル樹脂、ポリエチレン樹脂、ポリプロピレン樹脂、ポリスチレン樹脂、ポリナフタレン樹脂、ポリカーボナート樹脂、ポリエチレンテレフタラート樹脂、ポリビリルブチラール樹脂、または前記樹脂の混合物や共重合させた樹脂等が挙げられる。
【００４５】
樹脂中に、アリールアミン誘導体とテトラハロゲン化メタンあるいはトリハロゲン化メタン誘導体とベース樹脂とともに溶媒に分散させる場合において、溶媒としてはアリールアミン誘導体とテトラハロゲン化メタンあるいはトリハロゲン化メタン誘導体とが良好に溶解させるものであればよく、成型加工の妨げにならないものであれば特に限定されない。具体的には、ベンゼン、トルエン等の芳香族系溶媒、クロロホルム等の有機ハロゲン化物系溶媒、ヘキサン、ＴＨＦ等の脂肪族系溶媒等、各種の有機溶媒が挙げられる。
【００４６】
上記の樹脂溶液中に含まれるアリールアミン誘導体とテトラハロゲン化メタンあるいはトリハロゲン化メタン誘導体は、それぞれ独立して濃度設定が可能であるが、ベース樹脂１００重量部に対して、０．２から２００重量部の範囲が好ましい。なお公知の酸化防止剤、酸素トラップ剤、可塑剤等を添加しても良い。
【００４７】
また、ベース樹脂に直接溶解させる手法の場合、アリールアミン誘導体とテトラハロゲン化メタンあるいはトリハロゲン化メタン誘導体とをベース樹脂に直接練り込んで樹脂組成物を調製する。
上記の手法により調製された樹脂組成物は、射出成形、押し出し成形、ヒートプレスなどの公知の方法を用いてフィルム状や棒状等に成型加工すればカラー線量計となる。特に、フィルム状に加工する場合には、キャスト法、スピンコート法、バーコーター法、ダイキャスト法等の種々の公知技術を用いて成型加工することができる。膜の厚さは、カラー線量計の特性を引き出す範囲であれば特に限定されないが、０．０１から１０ｍｍの範囲が好ましい。
【００４８】
成型加工された樹脂組成物に放射線を照射すると、放射線の照射線量に応じて色調が変化する。この吸収透過スペクトルまたは反射スペクトルを測定し、吸光度、透過率または反射率の変化量を計測することにより放射線の照射線量を見積もることができる。
【００４９】
本発明のアリールアミン誘導体とテトラハロゲン化メタンあるいはトリハロゲン化メタン誘導体を基本材料とするカラー線量計は、室内光等の環境光による着色を避けるため、紫外線吸収剤を併用してもよい。具体的には、紫外線吸収剤を上記組成物の一成分として含有させても良いし、該組成物より調製したカラー線量計の表面に紫外線カット層を形成しても良い。
【００５０】
紫外線カット層は波長１００から４５０ｎｍの光を、光透過率５％以下にカットするものが好ましい。
紫外線吸収剤を添加したり紫外線カット層を設けたりすることにより、放射線照射による電離作用以外の、環境光等に含まれる紫外線による化学反応を防止し、線量検出の精度を向上させることができる。
【００５１】
本発明は、アリールアミン誘導体とテトラハロゲン化メタンあるいはトリハロゲン化メタン誘導体とが含有された組成物を使用できるので、従来にない新しいカラー線量計を提供することが可能となる。
【実施例】
【００５２】
以下、本発明を実施例によりさらに具体的に説明するが、本発明はその要旨を超えない範囲で、これらの例に限定されるものではない。
実施例１
本実施例では、アリールアミン誘導体の代表例としてＮ，Ｎ−ジフェニルアミンを使用して、テトラハロゲン化メタンあるいは各種のトリハロゲン化メタン誘導体との反応を検討した。なおこのときの溶媒はトルエンを使用し、それぞれの濃度はＮ，Ｎ−ジフェニルアミンでは０．３ｍｏｌ／ｄｍ３とし、トリハロゲン化メタン誘導体では０．１ｍｏｌ／ｄｍ３とした。
【００５３】
それぞれのサンプルをバイヤル瓶に入れて放射線を照射した。照射した放射線は、６０Ｃｏ線源のガンマ線であり、照射線量はそれぞれ５Ｇｙである。この時点で着色状態を目視評価し、さらに室内光の室温下で、４８時間放置後目視評価した。以上の結果を表１に示した。なお、調製した放射線未照射の溶液はいずれも無色透明であった。
【００５４】
【表１】
2009265034.tif 000005
【００５５】
表１の結果より、トリハロゲン化メタン誘導体とＮ，Ｎ−ジフェニルアミン誘導体とで構成された溶液は、いずれもガンマ線照射により色相の変化が確認された。
また、それぞれの着色したサンプルは室内光の室温下で、４８時間後でも変化はなかった。
【００５６】
実施例２
本実施例では、トリハロゲン化メタン誘導体の代表例としてブロモホルムを使用して、各種のアリールアミン誘導体との反応を検討した。なおこのときの溶媒はトルエンを使用し、それぞれの濃度はブロモホルムでは０．１ｍｏｌ／ｄｍ３とし、アリールアミン誘導体では０．３ｍｏｌ／ｄｍ３とした。なお、調製した放射線未照射の溶液はいずれも無色透明であった。
【００５７】
照射した放射線は、６０Ｃｏ線源のガンマ線であり、照射線量はそれぞれ５Ｇｙである。この時点で着色状態を目視評価し、さらに暗所で４８時間放置後、４８時間放置後目視評価した。以上の結果を表２に示す。
【００５８】
【表２】
2009265034.tif 000006
【００５９】
表２の結果より、ブロモホルムとさまざまなアリールアミン誘導体とで構成された溶液は、いずれもガンマ線照射により色相の変化が確認された。
【００６０】
実施例３
実施例１で調製したサンプルのうち、溶媒が存在しない状態でも固体状態を取ることが可能なサンプル（サンプル３，サンプル７〜９中）へ４０ｗｔ％のポリスチレン（溶媒トルエン）を等重量ずつ添加して塗布溶液を調製した。それぞれの溶液をＰＥＴフィルム上へ滴下して溶媒除去によってフィルム化し、これにエックス線を５Ｇｙ照射（管電圧５ｋｅＶ、管電流２０ｍＡ）した。この時点で着色状態を目視評価し、さらに暗所で４８時間放置後、目視評価した。その結果を表３に示した。
【００６１】
なお、調製した放射線未照射のフィルムはいずれも無色透明であった。
【００６２】
【表３】
2009265034.tif 000007
【００６３】
表３の結果より、いずれもエックス線照射により色相の変化が確認された。
【００６４】
比較例１
実施例１と同様に、前記アリールアミン誘導体の代表例としてＮ，Ｎ−ジフェニルアミンを使用し、各種のハロゲン化物との反応を検討した。なお、濃度および溶媒は実施例１と同様の条件とした。
【００６５】
照射した放射線は、６０Ｃｏ線源のガンマ線であり、照射線量はそれぞれ５Ｇｙである。以上の結果を表４に示した。
【００６６】
【表４】
2009265034.tif 000008
【００６７】
表４の結果より、いずれのサンプルでも着色しなかった。このことからアリールアミン誘導体との放射線化学反応により発色反応を示すハロゲン化物として、ジハロゲン化メタン誘導体では不適切であることがわかる。
【００６８】
比較例２
実施例２と同様に、前記トリハロゲン化メタン誘導体の代表例としてブロモホルムを使用して、各種のアミン誘導体との反応を検討した。なお、濃度および溶媒は実施例２と同様の条件とした。
【００６９】
照射した放射線は、６０Ｃｏ線源のガンマ線であり、照射線量はそれぞれ５Ｇｙである。以上の結果を表５に示した。
【００７０】
【表５】
2009265034.tif 000009
【００７１】
表５の結果より、トリハロゲン化メタン誘導体との放射線化学反応により発色反応を示すアミン誘導体として、アリール基を有さないアミン誘導体では不適切であることがわかる。
【００７２】
比較例３
有機ハロゲン化物であるポリ塩化ビニルの酢酸ブチル溶液（濃度３７ｗｔ％）１００ｇを三点用意し、それぞれ別々にｐＨ指示薬であるメチルイエローを０．０４ｇ、０．４０ｇ、０．８０ｇ溶解させた。これらの溶液をそれぞれＰＥＴフィルム上に０．２ｍｍのアプリケータで塗布し、８０℃のホットプレート上で３０分かけて溶媒を除去してフィルムサンプルを調製した。これらのサンプルを二点ずつ用意し、エックス線を５Ｇｙおよび５０００Ｇｙ照射（管電圧５ｋｅＶ、管電流２０ｍＡ）した。その結果を表６に示した。
【００７３】
【表６】
2009265034.tif 000010
【００７４】
表６の結果より、有機ハロゲン化物であるポリ塩化ビニルの放射線分解反応を利用したｐＨ指示薬の発色反応は、５０００Ｇｙ程度の照射が必要であることがわかる。したがって数Ｇｙ程度の放射線照射の検知をすることができない。
【００７５】
比較例４
１０，１２−ペンタコサジイン酸０．１９ｇをトルエン２ｍＬに溶解させた。これをインクジェット用光沢紙へ２μＬ滴下させ、８０℃のホットプレート上で３０分かけて溶媒を除去してフィルムサンプルを調製した。
【００７６】
このサンプルにエックス線を５Ｇｙ照射（管電圧５ｋｅＶ、管電流２０ｍＡ）した。この時点で着色状態を目視評価し、さらに暗所で４８時間放置後目視評価した。その結果を表７に示した。この結果からわかるように、照射後も変色が終了せず、即時性に優れた線量の評価ができないことが示唆される。
【００７７】
【表７】
2009265034.tif 000011
【産業上の利用可能性】
【００７８】
本発明は、アリールアミン誘導体とテトラハロゲン化メタンあるいはトリハロゲン化メタン誘導体とを用いることにより、容易に感度がよいカラー線量計を調製することが可能であり、それぞれの置換基を操作することにより、色調変化を調整することが可能なカラー線量計として利用することができる。